(57)【要約】      （修正有）【課題】幕板と内枠との間に生じる隙間を利用した不正行為を効果的に防止できる、遊技機を提供する。【解決手段】パチンコ機は、外枠２と、外枠の下端部に設けられた幕板３と、外枠２と幕板３とに囲まれる空間を開閉可能に設けられた内枠と、幕板３に取り付けられ、内枠の開閉時に内枠の移動をガイドするためのガイド部材５とを備えている。ガイド部材５は、被係止部６２および摺動部６１を備える。被係止部６２は、幕板３の係止部に係止される。摺動部６１は、幕板３の上面部を上下方向に貫通する開口を介して、上面部から上方に突出する。内枠の開閉時には、内枠の下端部が摺動部６１に摺動する。内枠が閉じられた状態で、上面部の上面と摺動部６１に乗り上がった内枠の下面との間に生じる隙間には、その全幅にわたって、不正防止壁部２３が後側から対向する。【選択図】図１１
2014132948.tif 000002
【特許請求の範囲】
【請求項１】
矩形状の外枠と、
前記外枠の下端部に設けられ、幅方向に延びる幕板と、
前記外枠と前記幕板とに囲まれる空間を開閉可能に設けられた内枠と、
前記幕板に取り付けられ、前記内枠の開閉時に前記内枠の移動をガイドするためのガイド部材とを含み、
前記幕板は、閉じられた状態の前記内枠に下側から対向する上面部と、前記上面部の全幅にわたって、前記上面部から上側に立設された不正防止壁部と、前記ガイド部材を係止すべく裏側に設けられた係止部とを備え、
前記幕板には、前記不正防止壁部の前側に、前記上面部を上下方向に貫通する開口が形成されており、
前記ガイド部材は、前記開口を介して前記幕板の前記上面部から上方に突出して前記内枠の開閉時に前記内枠の下端部が摺動する摺動部と、前記係止部に係止される被係止部とを備え、前記幕板の裏側から挿入することにより前記幕板に取り付けられていることを特徴とする、遊技機。
【請求項２】
前記幕板の裏側には、芯材が設けられ、該芯材は、前記幕板に取り付けられた状態の前記ガイド部材の被係止部に対向し、該ガイド部材の挿抜方向の移動を規制することを特徴とする、請求項１に記載の遊技機。
【請求項３】
前記芯材は、前記外枠に前記幅方向の外側から挿通されるねじにより、前記幅方向の両側の端部が前記外枠に固定され、
前記幕板は、前記芯材に裏側から挿通されるねじにより、前記芯材に固定されていることを特徴とする、請求項２に記載の遊技機。
【請求項４】
前記ガイド部材は、前記不正防止壁部に裏側から対向する返し部をさらに備えることを特徴とする、請求項１〜３のいずれか一項に記載の遊技機。
【請求項５】
前記係止部には、前記開口の前側に、前記摺動部を下側から支持する支持板部が形成されており、
前記支持板部には、前後方向に延び、前記開口と連通するスリットが上下方向に貫通して形成されており、
前記被係止部は、前記摺動部から下方に延び、前記スリットに挿通される挿通部と、前記挿通部の下端から前記幅方向に延出し、前記支持板部に下側から対向する対向部とを有することを特徴とする、請求項１〜４のいずれか一項に記載の遊技機。
【請求項６】
前記ガイド部材は、前記摺動部の前側に連続して形成され、前記支持板部の前側に回り込む爪部をさらに備えることを特徴とする、請求項１〜５のいずれか一項に記載の遊技機。
【発明の詳細な説明】
【技術分野】
【０００１】
本発明は、パチンコ機（ぱちんこ遊技機）およびスロットマシンなどの遊技機に関する。
【背景技術】
【０００２】
パチンコ機では、遊技盤を保持する内枠が外枠に対して開閉可能に設けられている。外枠は、四角枠状をなし、遊技場の遊技島に上下方向に延びた状態で固定される。外枠の下端部には、幕板が取り付けられている。内枠は、幕板の上側に設けられて、その左端部がヒンジを介して外枠に連結されている。これにより、ヒンジを支点として、内枠を外枠の手前側の開位置と幕板の上側の閉位置との間で変位させることができる。
【０００３】
内枠は、遊技盤以外に、制御基板、遊技球供給機構および役物駆動機構などの裏機構を保持しており、遊技盤および裏機構を含む全体として比較的重量が大きい。それにもかかわらず、内枠は、ヒンジを介して外枠に片持ち状態で支持されている。そのため、幕板の上面の右側に片寄った部分には、前下がりに傾斜した上面を有する摺動部が設けられている。これにより、内枠が開位置から閉位置に変位されるときに、内枠が右下がりにわずかに傾いていても、内枠の右下端部が摺動部に摺動して持ち上げられる。よって、内枠を閉位置までスムーズに変位させることができる。
【０００４】
しかしながら、内枠が閉位置に位置する状態で、幕板の上面と内枠の下面との間に摺動部が介在され、幕板の上面と内枠の下面との間に隙間が生じる。この隙間が生じていると、隙間を利用した不正行為が行われるおそれがある。
【０００５】
これを防止するため、摺動部の奥側に、幕板と別部材である不正防止壁を幕板の上面と内枠の下面との間の隙間を塞ぐように取り付けることが提案されている。
【先行技術文献】
【特許文献】
【０００６】
【特許文献１】特開２０１１−０００１６０号公報
【特許文献２】特開２０１０−１３６９３７号公報
【発明の概要】
【発明が解決しようとする課題】
【０００７】
ところが、従来の提案に係る構成では、不正防止壁に、摺動部との干渉を防止するための切欠き部が形成されている。言い換えれば、切欠き部が形成されている部分には、不正防止壁が存在しない。そのため、切欠き部を利用した不正行為が行われるおそれがある。
【０００８】
本発明の目的は、幕板と内枠との間に生じる隙間を利用した不正行為を効果的に防止できる、遊技機を提供することである。
【課題を解決するための手段】
【０００９】
以下、本発明について説明する。なお、発明の理解を容易にするため、添付図面の参照符号等を括弧書きにて付記するが、それにより本発明が表示の形態に限定されるものではない。
【００１０】
前記の目的を達成するため、本発明に係る遊技機（１）は、矩形状の外枠（２）と、前記外枠（２）の下端部に設けられ、幅方向に延びる幕板（３）と、前記外枠（２）と前記幕板（３）とに囲まれる空間を開閉可能に設けられた内枠（４）と、前記幕板（３）に取り付けられ、前記内枠（４）の開閉時に前記内枠（４）の移動をガイドするためのガイド部材（５）とを含み、前記幕板（３）は、閉じられた状態の前記内枠（４）に下側から対向する上面部（２１）と、前記上面部（２１）の全幅にわたって、前記上面部（２１）から上側に立設された不正防止壁部（２３）と、前記ガイド部材（５）を係止すべく裏側（後側）に設けられた係止部（２２）とを備え、前記幕板（３）には、前記不正防止壁部（２３）の前側に、前記上面部（２１）を上下方向に貫通する開口（３３）が形成されており、前記ガイド部材（５）は、前記開口（３３）を介して前記幕板（３）の前記上面部（２１）から上方に突出して前記内枠（４）の開閉時に前記内枠（４）の下端部が摺動する摺動部（６１）と、前記係止部（２２）に係止される被係止部（６２）とを備え、前記幕板（３）の裏側から挿入することにより前記幕板（３）に取り付けられている。
【００１１】
この構成によれば、幕板（３）は、上面部（２１）、不正防止壁部（２３）および係止部（２２）を備える。上面部（２１）は、閉じられた状態の内枠（４）に下側から対向する。不正防止壁部（２３）は、上面部（２１）の全幅にわたって、上面部（２１）から上側に立設されている。また、上面部（２１）には、不正防止壁部（２３）の前側に、上面部（２１）を上下方向に貫通する開口（３３）が形成されている。
【００１２】
ガイド部材（５）は、被係止部（６２）および摺動部（６１）を備える。被係止部（６２）は、幕板（３）の係止部（２２）に係止される。摺動部（６１）は、幕板（３）の開口（３３）を介して、上面部（２１）から上方に突出する。
【００１３】
内枠（４）の開閉時には、内枠（４）の下端部が摺動部（６１）に摺動することにより、内枠（４）の移動がガイドされる。そのため、内枠（４）をスムーズに開閉することができる。
【００１４】
内枠（４）が閉じられた状態で、上面部（２１）の上面と摺動部（６１）に乗り上がった内枠（４）の下面との間に生じる隙間には、その全幅にわたって、不正防止壁部（２３）が後側から対向する。よって、当該隙間を利用した不正行為を効果的に防止することができる。
【００１５】
また、ガイド部材（５）の被係止部（６２）が幕板（３）の係止部（２２）に係止されることにより、ガイド部材（５）が幕板（３）に取り付けられる。よって、ガイド部材（５）を幕板（３）に容易に取り付けることができる。
【００１６】
さらに、ガイド部材（５）が幕板（３）と別部材であるので、ガイド部材（５）と幕板（３）とを異なる材料で形成することができる。たとえば、ガイド部材（５）の材料として、摺動性の優れた樹脂材料を用いることにより、内枠（４）をスムーズに開閉することができながら、幕板（３）の材料として、ガイド部材（５）の材料よりも安価な材料を用いることにより、遊技機（１）を安価に構成することができる。
【００１７】
幕板（３）の裏側には、芯材（６）が設けられ、芯材（６）は、幕板（３）に取り付けられた状態のガイド部材（５）の被係止部（６２）に対向し、ガイド部材（５）の挿抜方向の移動を規制していてもよい。
【００１８】
これにより、ガイド部材（５）が幕板（３）に対する挿抜方向に移動することを防止できる。
【００１９】
芯材（６）は、外枠（２）に幅方向の外側から挿通されるねじ（８３）により、幅方向の両側の端部が外枠（２）に固定され、幕板（３）は、芯材（６）に裏側から挿通されるねじ（８２）により、芯材（６）に固定されていることが好ましい。
【００２０】
この構成によれば、外枠（２）が遊技場の遊技島に取り付けられた状態で、芯材（６）を外枠（２）に固定するためのねじ（８３）が隠れるので、そのねじ（８３）を外すことができない。また、幕板（３）を芯材（６）に固定するためのねじ（８２）の頭が幕板（３）の裏側に配置されるので、内枠（４）が閉じられた状態では、そのねじ（８２）を外すことができない。そのため、外枠（２）が遊技場の遊技島に取り付けられ、内枠（４）が閉じられた状態では、幕板（３）を外枠（２）から取り外すことができない。よって、不正行為をより効果的に防止することができる。
【００２１】
ガイド部材（５）は、不正防止壁部（２３）に裏側から対向する返し部（６３）を備えていることが好ましい。
【００２２】
これにより、ガイド部材（５）が幕板（３）の開口（３３）を介して前方に抜き出されることを防止できる。また、不正防止壁部（２３）に開口（３３）に連続する切欠部（３４）が形成され、ガイド部材（５）の摺動部（６１）がその切欠部（３４）に嵌る構成であっても、摺動部（６１）と切欠部（３４）における摺動部（６１）と対向する面との間に対して、返し部（６３）がその裏側から対向するので、それらの間を利用した不正行為を防止することができる。
【００２３】
係止部（２２）には、開口（３３）の前側に、摺動部（６１）を下側から支持する支持板部（２５）が形成されており、支持板部（２５）には、前後方向に延び、開口（３３）と連通するスリット（２９）が上下方向に貫通して形成されており、被係止部（６２）は、摺動部（６１）から下方に延び、スリット（２９）に挿通される挿通部（６９）と、挿通部（６９）の下端から幅方向に延出し、支持板部（２５）に下側から対向する対向部（７０）とを有することが好ましい。
【００２４】
この構成によれば、摺動部（６１）が支持板部（２５）に下側から支持されるので、ガイド部材（５）が下方に脱落することを防止できる。また、支持板部（２５）に形成されたスリット（２９）にガイド部材（５）の挿通部（６９）が挿通され、その挿通部（６９）の下端から幅方向に延出する対向部（７０）が支持板部（２５）に下側から対向するので、ガイド部材（５）が幕板（３）の開口（３３）を介して上方に抜き出されることを防止できる。
【００２５】
ガイド部材（５）は、摺動部（６１）の前側に連続して形成され、支持板部（２５）の前側に回り込む爪部（６４）をさらに備えることが好ましい。
【００２６】
これにより、ガイド部材（５）と支持板部（２５）の上面との間が前側に露出しないので、それらの間を利用した不正行為を防止することができる。
【発明の効果】
【００２７】
本発明によれば、幕板にガイド部材が取り付けられているので、内枠をスムーズに開閉することができる。また、ガイド部材は、被係止部を幕板の係止部に係止させることにより、幕板に容易に取り付けることができる。また、幕板に不正防止壁部が立設されており、この不正防止壁部が幕板と内枠との間に生じる隙間の全幅にわたって後側から対向しているので、その隙間を利用した不正行為を効果的に防止することができる。さらに、ガイド部材の材料として、摺動性の優れた樹脂材料を用いることにより、内枠をスムーズに開閉することができながら、幕板の材料として、ガイド部材の材料よりも安価な材料を用いることにより、遊技機を安価に構成することができる。
【図面の簡単な説明】
【００２８】
【図１】本発明の一実施形態に係るパチンコ機の斜視図である。
【図２】パチンコ機の右下端部の右前側から見た斜視図である。
【図３】パチンコ機の右下端部の左後側から見た斜視図である。
【図４】幕板の右上端部の右前側から見た斜視図である。
【図５】幕板の右上端部の右後側から見た斜視図である。
【図６】ガイド部材の上側の構成を示す斜視図である。
【図７】ガイド部材の下側の構成を示す斜視図である。
【図８】ガイド部材が幕板から取り外された状態を示す斜視図である。
【図９】ガイド部材が幕板に取り付けられた状態を示す斜視図である。
【図１０】ガイド部材および芯材が幕板に取り付けられた状態を示す斜視図である。
【図１１】ガイド部材の左右方向の中央を前後方向に延びる切断面でパチンコ機を切断したときのガイド部材の近傍を示す断面図である。
【発明を実施するための形態】
【００２９】
以下では、本発明の実施の形態について、添付図面を参照しつつ詳細に説明する。
【００３０】
図１は、本発明の一実施形態に係るパチンコ機の斜視図である。
【００３１】
パチンコ機１は、外枠２、幕板３、内枠４およびガイド部材５を備えている。
【００３２】
図２は、パチンコ機の右下端部の右前側から見た斜視図である。図３は、パチンコ機の右下端部の左後側から見た斜視図である。
【００３３】
外枠２は、上横枠１１、下横枠１２、左縦枠１３および右縦枠１４からなる四角枠状をなしている。外枠２は、遊技場の遊技島に上下方向に延びる状態、つまり左縦枠１３および右縦枠１４が上下方向に延びる状態で固定される。
【００３４】
幕板３は、樹脂成形品である。幕板３の材料としては、たとえば、ＡＢＳ（acrylonitrile
butadiene styrene copolymer）樹脂が用いられている。幕板３は、正面視で横長の略矩形状をなしている。幕板３は、外枠２の前側に配置され、下横枠１２ならびに左縦枠１３および右縦枠１４の各下端部に当接している。幕板３の左側面は、左縦枠１３の左側面と略同一平面上に配置されている。幕板３の右側面は、右縦枠１４の右側面と略同一平面上に配置されている。
【００３５】
図４は、幕板の右上端部の右前側から見た斜視図である。図５は、幕板の右上端部の右後側から見た斜視図である。
【００３６】
幕板３は、上面部２１、係止部２２および不正防止壁部２３を備えている。
【００３７】
上面部２１は、幕板３の左側面および右側面の上端間に架設されている。上面部２１は、板状をなしている。上面部２１の上面は、前下がりにやや傾斜している。上面部２１の右端部には、上面部２１の後端縁から前端縁まで略矩形状に切り欠くことにより、切欠前部２４が形成されている。
【００３８】
係止部２２は、図５に示されるように、切欠前部２４の前半分の領域を下側から閉塞するように設けられた支持板部２５と、支持板部２５の左端縁から下方に延びる左板部２６と、支持板部２５の右端縁から下方に延びる右板部２７と、左板部２６および右板部２７の各下端縁間に架設された下板部２８とを備えている。支持板部２５、左板部２６、右板部２７および下板部２８に囲まれる空間は、後側（裏側）に開放されている。支持板部２５の左右方向（幅方向）の中央部には、その後端縁から前側に直線状に延びるスリット２９が形成されている。また、支持板部２５の前端部は、切欠前部２４内に突出している。支持板部２５の前端は、幕板３の前面よりも後側に位置している。
【００３９】
不正防止壁部２３は、上面部２１の後端部から上方に立ち上がり、上面部２１の左右方向の全幅にわたって設けられた壁状をなしている。具体的には、不正防止壁部２３は、上面部２１の後端部の全幅から上側に立設された後壁部３０と、後壁部３０の上端部からやや斜め上方に延びる上壁部３１と、後壁部３０の左右両端部から前方に延びる側壁部３２とを備えている。後壁部３０は、切欠前部２４を跨いでいる。これにより、切欠前部２４における支持板部２５と後壁部３０とに挟まれる部分は、上面部２１を上下方向に貫通する平面視矩形状の開口３３をなしている。また、後壁部３０には、切欠前部２４を跨ぐ部分に、後壁部３０をその下端縁から開口３３に連続して矩形状に切り欠くことにより、切欠後部３４が形成されている。
【００４０】
また、幕板３には、係止部２２の下側に、前後方向に延びる略円筒状のボス３５が設けられている。
【００４１】
内枠４は、図１に示されるように、外枠２および幕板３に囲まれる空間４１を開閉可能に設けられている。具体的には、内枠４は、四角枠状をなしている。内枠４の左上端部および左下端部は、それぞれヒンジ４２を介して、外枠２の左縦枠１３に取り付けられている。各ヒンジ４２は、上下方向に延びる回動軸線を同一の直線上に有している。ヒンジ４２により、内枠４は、外枠２の前側に位置し、外枠２の上横枠１１、左縦枠１３および右縦枠１４ならびに幕板３に囲まれる空間４１を開放する状態と、幕板３の上側に位置し、空間４１を前側から閉塞する状態とに開閉可能に設けられている。
【００４２】
内枠４には、遊技盤４４と、遊技盤４４の前側に配置される表機構盤４５と、遊技盤４４の後側に配置される裏機構盤４６とが保持されている。表機構盤４５には、遊技球を貯留しておくための上皿４７および下皿４８、上皿４７に貯留されている遊技球を遊技盤４４に向けて打ち出すために操作されるハンドル４９などが設けられている。裏機構盤４６には、遊技島内の球循環機構から供給される遊技球を貯留しておくための球タンク５０、球タンク５０に貯留されている遊技球を上皿４７または下皿４８に払い出す遊技球供給機構、遊技盤４４に配置される役物を駆動するための役物駆動機構などが設けられている。また、裏機構盤４６には、裏カバー５１が取り付けられている。裏カバー５１内には、各部の制御のための制御基板（図示せず）が収容されている。
【００４３】
図６は、ガイド部材の上側の構成を示す斜視図である。図７は、ガイド部材の下側の構成を示す斜視図である。
【００４４】
ガイド部材５は、樹脂成形品である。ガイド部材５の材料としては、たとえば、摺動性に優れたＰＯＭ（polyoxymethylene）が用いられている。ガイド部材５は、摺動部６１、被係止部６２、返し部６３および爪部６４を備えている。
【００４５】
摺動部６１は、略矩形板状をなしている。摺動部６１の上面６５は、支持面６６および案内面６７を含む。支持面６６は、上面６５のほぼ後半分の部分であり、摺動部６１の下面６８と平行に延びている。案内面６７は、上面６５のほぼ前半分の部分であり、支持面６６に連続し、前側ほど下面６８に近づくように前下がりに傾斜している。
【００４６】
被係止部６２は、挿通部６９および対向部７０を有する断面略Ｔ字状をなしている。挿通部６９は、摺動部６１の下面６８の前端部の左右方向の中央から下方に突出し、前後方向に延びている。挿通部６９の左右方向の寸法は、挿通部６９が幕板３の支持板部２５のスリット２９にがたつきなく挿通されるように、スリット２９の左右方向の幅よりも僅かに小さい寸法に設定されている。また、挿通部６９の前後方向の寸法は、スリット２９の前後方向の寸法とほぼ同じ寸法に設定されている。対向部７０は、挿通部６９の下端から左右両側に延出している。
【００４７】
返し部６３は、摺動部６１の後端部から上側、左側および右側に張り出す鍔状をなしている。
【００４８】
爪部６４は、摺動部６１の前端部の全幅から下方に突出している。
【００４９】
図８は、ガイド部材が幕板から取り外された状態を示す斜視図である。図９は、ガイド部材が幕板に取り付けられた状態を示す斜視図である。
【００５０】
ガイド部材５は、幕板３にその後側から取り付けられる。
【００５１】
具体的には、ガイド部材５の挿通部６９が幕板３の支持板部２５のスリット２９に後側から差し込まれ、ガイド部材５の対向部７０が支持板部２５、左板部２６、右板部２７および下板部２８に囲まれる空間に後側から差し込まれる。このとき、対向部７０の上面は、支持板部２５の下面に摺擦する。また、ガイド部材５の爪部６４は、支持板部２５の上面に摺擦し、ガイド部材５の摺動部６１は、わずかに下側に反った状態となる。
【００５２】
ガイド部材５がさらに前方に移動されて、挿通部６９がスリット２９の前端に当接すると、ガイド部材５のそれ以上の移動が規制される。それとともに、爪部６４が支持板部２５を前側に乗り越えて、摺動部６１の変形が復元することにより、爪部６４が支持板部２５の前側に回り込む。そして、爪部６４の下面は、切欠前部２４内で幕板３に当接し、爪部６４の前端縁は、幕板３の前面と同一平面上に位置する。また、返し部６３が不正防止壁部２３に後側から対向する。ガイド部材５の摺動部６１は、図２に示されるように、開口３３を介して、幕板３の上面部２１の上面から上方に突出し、その後端部は、切欠後部３４に嵌り込む。また、挿通部６９および対向部７０の後面は、支持板部２５、左板部２６、右板部２７および下板部２８の後面と同一平面上に位置する。
【００５３】
図１０は、ガイド部材および芯材が幕板に取り付けられた状態を示す斜視図である。図１１は、ガイド部材の左右方向の中央を前後方向に延びる切断面でパチンコ機を切断したときのガイド部材の近傍を示す断面図である。
【００５４】
パチンコ機１は、芯材６を備えている。前述のようにして、ガイド部材５が幕板３に取り付けられた後、幕板３と芯材６とが互いに固定される。芯材６は、木材からなり、後側から見て、幕板３よりも少し小さいサイズの矩形状をなしている。芯材６には、幕板３のボス３５（図５参照）に後側から対向する位置に、図１０に示されるように、円形の貫通孔８１が前後方向に貫通して形成されている。ねじ８２が貫通孔８１に後側から挿入され、そのねじ８２の先端部がボス３５内にねじ込まれることにより、幕板３と芯材６とが互いに固定される。幕板３と芯材６とが固定された状態で、図１１に示されるように、芯材６の前面は、幕板３の支持板部２５、左板部２６、右板部２７および下板部２８の後面ならびにガイド部材５の挿通部６９および対向部７０の後面に当接する。これにより、ガイド部材５の挿通部６９は、支持板部２５および芯材６に前後から挟まれる。
【００５５】
その後、図３に示されるように、芯材６が外枠２の左縦枠１３および右縦枠１４の各下端部間に配置される。そして、ねじ８３が左縦枠１３および右縦枠１４の外側から左縦枠１３および右縦枠１４に挿通され、そのねじ８３の先端部が芯材６にねじ込まれることにより、芯材６が左縦枠１３および右縦枠１４に固定される。
【００５６】
＜作用効果＞
【００５７】
以上のように、ガイド部材５は、被係止部６２および摺動部６１を備える。被係止部６２は、幕板３の係止部２２に係止される。摺動部６１は、幕板３の上面部２１を上下方向に貫通する開口３３を介して、上面部２１から上方に突出する。
【００５８】
内枠４の開閉時には、内枠４の下端部が摺動部６１に摺動する。すなわち、内枠４が開かれるときには、内枠４の右下端部が摺動部６１の支持面６６上から案内面６７上に移る。そして、内枠４の右下端部は、案内面６７上を摺動した後、案内面６７から離れる。一方、内枠４が閉じられるときには、内枠４の右下端部が案内面６７に当接する。そして、内枠４がさらに閉じられると、内枠４の右下端部は、案内面６７上を摺動し、案内面６７に持ち上げられつつ、案内面６７に向けて移動する。そして、内枠４の右下端部が案内面６７上から支持面６６に移り、内枠４が外枠２および幕板３に囲まれる空間４１を閉じた状態となる。このように、内枠４の移動がガイド部材５にガイドされることにより、内枠４をスムーズに開閉することができる。
【００５９】
内枠４が閉じられた状態で、上面部２１の上面と摺動部６１に乗り上がった内枠４の下面との間に生じる隙間には、その全幅にわたって、不正防止壁部２３が後側から対向する。よって、当該隙間を利用した不正行為を効果的に防止することができる。
【００６０】
また、ガイド部材５の被係止部６２が幕板３の係止部２２に係止されることにより、ガイド部材５が幕板３に取り付けられる。よって、ガイド部材５を幕板３に容易に取り付けることができる。
【００６１】
さらに、ガイド部材５が幕板３と別部材であるので、ガイド部材５と幕板３とを異なる材料で形成することができる。ガイド部材５の材料として、たとえば、摺動性の優れた樹脂材料であるＰＯＭを用いることにより、内枠４をスムーズに開閉することができながら、幕板３の材料として、たとえば、ガイド部材５の材料よりも安価な材料であるＡＢＳ樹脂を用いることにより、パチンコ機１を安価に構成することができる。
【００６２】
幕板３の裏側には、芯材６が設けられている。芯材６は、幕板３に取り付けられた状態のガイド部材５の被係止部６２に裏側から対向している。これにより、ガイド部材５が裏側に脱落することを防止できる。
【００６３】
芯材６は、外枠２に幅方向の外側から挿通されるねじ８３により、左右両側の端部が外枠２に固定され、幕板３は、芯材６に裏側から挿通されるねじ８２により、芯材６に固定される。外枠２が遊技場の遊技島に取り付けられた状態で、芯材６を外枠２に固定するためのねじ８３が隠れるので、そのねじ８３を外すことができない。また、幕板３を芯材６に固定するためのねじ８２の頭が幕板３の裏側に配置されるので、内枠４が閉じられた状態では、そのねじ８２を外すことができない。そのため、外枠２が遊技場の遊技島に取り付けられ、内枠４が閉じられた状態では、幕板３を外枠２から取り外すことができない。よって、不正行為をより効果的に防止することができる。
【００６４】
ガイド部材５は、不正防止壁部２３に裏側から対向する返し部６３を備えている。これにより、ガイド部材５が幕板３の上面部２１の開口３３を介して前方に抜き出されることを防止できる。また、不正防止壁部２３に開口３３に連続する切欠後部３４が形成され、ガイド部材５の摺動部６１がその切欠後部３４に嵌る構成であっても、摺動部６１と切欠後部３４の下面（摺動部６１と対向する面）との間に対して、返し部６３がその裏側から対向するので、それらの間を利用した不正行為を防止することができる。
【００６５】
係止部２２には、開口３３の前側に、摺動部６１を下側から支持する支持板部２５が形成されている。支持板部２５には、前後方向に延び、開口３３と連通するスリット２９が上下方向に貫通して形成されている。被係止部６２は、摺動部６１から下方に延び、スリット２９に挿通される挿通部６９と、挿通部６９の下端から左右両側に延出し、支持板部２５に下側から対向する対向部７０とを有している。摺動部６１が支持板部２５に下側から支持されるので、ガイド部材５が下方に脱落することを防止できる。また、支持板部２５に形成されたスリット２９にガイド部材５の挿通部６９が挿通され、その挿通部６９の下端から左右両側に延出する対向部７０が支持板部２５に下側から対向するので、ガイド部材５が幕板３の上面部２１の開口３３を介して上方に抜き出されることを防止できる。
【００６６】
ガイド部材５は、摺動部６１の前側に連続して形成され、支持板部２５の前側に回り込む爪部６４をさらに備えている。これにより、ガイド部材５と支持板部２５の上面との間が前側に露出しないので、それらの間を利用した不正行為を防止することができる。
【００６７】
＜変形例＞
【００６８】
以上、本発明の一実施形態について説明したが、本発明は、他の形態で実施することもできる。
【００６９】
たとえば、前述の実施形態では、１個のガイド部材５が幕板３の右端部に取り付けられた構成を取り上げた。しかしながら、２個以上のガイド部材５が幕板３に互いに左右方向に間隔を空けて取り付けられてもよい。
【００７０】
また、本発明は、パチンコ機１に限らず、スロットマシンなどの他の遊技機に適用することもできる。
【００７１】
その他、前述の構成には、特許請求の範囲に記載された事項の範囲で種々の設計変更を施すことが可能である。
【符号の説明】
【００７２】
１    パチンコ機
２    外枠
３    幕板
４    内枠
５    ガイド部材
６    芯材
２１  上面部
２２  係止部
２３  不正防止壁部
２５  支持板部
２９  スリット
３３  開口
６１  摺動部
６２  被係止部
６３  返し部
６４  爪部
６９  挿通部
７０  対向部
８２  ねじ
８３  ねじ
【図１】
2014132948.tif 000003
【図２】
2014132948.tif 000004
【図３】
2014132948.tif 000005
【図４】
2014132948.tif 000006
【図５】
2014132948.tif 000007
【図６】
2014132948.tif 000008
【図７】
2014132948.tif 000009
【図８】
2014132948.tif 000010
【図９】
2014132948.tif 000011
【図１０】
2014132948.tif 000012
【図１１】
2014132948.tif 000013